(57)【要約】【課題】  イノシシやシカなど、有蹄獣のみを捕獲し、猟犬や他の目的としない小動物などは掛からず、軽量で丈夫であり、設置が容易である。【解決手段】  獣が脚を踏み込む罠部分と、設置時は作動部を支持固定し、作動時に罠部分に延びる松葉ばねが引き金となり解除される作動補助部と、作動補助部が解除されることでワイヤーを絞める作動部とからなり、特に獣の歩行習性に着目し、イノシシやシカなどの有蹄獣のみを捕獲できるもので、猟犬などはかかることのなく、また、罠部分の直径が約１５０ｍｍであるので猟師などが間違って踏みつけた場合でも脚を踏み抜かず、安全な獣捕獲用脚括り罠である。【選択図】図１
2007028964.tif 000002
【特許請求の範囲】
【請求項１】
獣が脚を踏み込む罠部分と、罠の引き金となり作動部へ伝える作動補助部と、該作動補助部が解除されることで作動し、獣の脚を括る作動部とを備えてなり、地面に設置して使用される獣捕獲用脚括り罠であって、
前記罠部分は、周壁上部に切り口を有する筒状体が地面に埋め込まれ、該筒状体上部に獣の脚を括るワイヤーが配置され、前記切り口より筒状体内部に作動補助部からの松葉ばねが扇状に延び、該松葉ばねの上部には複数本の串が前記筒状体上部にすのこ状に配置され、
前記作動補助部は、複数個の小筒が相互に固定されたコハゼと、該コハゼの一部小筒内に前記松葉ばねの一端が略直角に折り曲げられて上部から挿入され、前記コハゼの他の小筒内を両端が鈎状で、かつ罠設置時に前記コハゼを上方に付勢する小スプリングがロックナットＢで係り止めされた離脱機能付き縦棒が貫通し、さらに前記コハゼの他の小筒内にＬ釘の垂直部分が上部から挿入され、前記離脱機能付き縦棒の上部の鈎は前記Ｌ釘の水平部分に掛かり、さらに該Ｌ釘の水平部分は前記作動部のパイプ部に固定される固定ねじＡに掛かり、前記離脱機能付き縦棒の下部の鈎は作動部のパイプ部に挿入される固定ねじＢに掛かり、該作動補助部は罠の設置時において、前記固定ねじＡと前記固定ねじＢとが前記Ｌ釘および離脱機能付き縦棒による上記掛かり構造により、前記作動部を支持するものであり、
前記作動部は、内部にスプリングを圧縮して格納したキャブパイプおよび本体パイプのパイプ部のふたつの筒が嵌め合わせられてなるパイプ部にワイヤーが貫通してなり、ワイヤー上部は輪を形成して前記罠部分の上部に置かれ、またワイヤー下部末端は木の枝や木の幹などに固定されるものであり、
罠部分に獣の脚が入り、獣の脚が前記罠部分の前記串を踏み折り、さらに前記作動補助部から延びて配置された前記松葉ばねを踏み下げ、前記松葉ばねが前記コハゼを下へ押し下げることで前記離脱機能付き縦棒の上部の鈎が外れることで作動補助部が分解し、該作動補助部が分解することで前記作動部のパイプ部の固定支持が解かれ、前記パイプ部中に格納されていたスプリングが解放され前記キャブパイプを上方へ押し出しワイヤーを絞って獣の脚を括る仕組みを持つことを特徴とする獣捕獲用脚括り罠。
【請求項２】
前記作動補助部の離脱機能付き縦棒下部に縒り取りサルカンＡを設けたことを特徴とする請求項１記載の獣捕獲用脚括り罠。
【請求項３】
前記罠部分にすのこ状に配置される複数本の串上部に透明プラスチック蓋が被せられていることを特徴とする請求項１または請求項２記載の獣捕獲用脚括り罠。
【請求項４】
前記罠部分に配置される獣の脚を括るワイヤーは、罠が作動し獣の脚を括る際、獣の脚をきつく絞めすぎることを防ぐロックナットＡが該ワイヤーの途中に設けられていることを特徴とする請求項１、請求項２または請求項３記載の獣捕獲用脚括り罠。
【発明の詳細な説明】
【技術分野】
【０００１】
本発明は、イノシシやシカなどを捕獲する獣捕獲用脚括り罠に関し、設置が容易であり、また特に捕獲する動物の歩行形態に基づき、特にイノシシやシカなどの有蹄獣を的確に捕獲できる獣捕獲用脚括り罠に関する。
【背景技術】
【０００２】
農林水産業の被害防止などにおける有害獣捕獲などに用いる獣捕獲用の脚括り罠は、イノシシやシカなどの獣だけでなく、狩猟犬など、捕獲を目的としない動物の脚も括るため、網や罠を使う猟者と犬を使う第一種銃猟者との間にトラブルが多く発生する場合が多い。
また、銃の使用制限区域も多くあり、このような区域では有害獣の捕獲に罠猟を選択し、網や脚括り罠を架設しなければならない。
【０００３】
従来、獣の脚が罠部分を踏み込むことで脚を括る脚括り罠はいくつか開示されているが（特許文献１、特許文献２）、これらは罠部分の引き金となる部分に板を用いており、その板を踏み込むことで罠が作動し獣の脚を括るというものであった。このような構造であると、猟犬などのイヌ、目的外の小獣類、キツネ、タヌキ、人家近くではネコなどの家畜なども罠に掛かるという問題や、猟を行なう銃猟者の脚が罠に捕われるという問題もあり、イノシシやシカなど目的とする有害獣のみが掛かる罠を設置する必要があった。
【０００４】
獣捕獲用罠は、仕掛けてから獣が掛かるまでに時間がかかることもあり、仕掛けている間に外からの余計な力がかかり、自然に仕掛けが解除されてしまうという問題もあった。
人里から深く離れた山中に罠を仕掛ける場合などは、頑丈な罠であるほど重く運搬に困難になるという問題もあった。また、引き金になる部分に糸を張る罠（特許文献３）などは、設置に時間がかかり、また均一に糸を張ることが容易でないという問題もあった。
【特許文献１】特開２００２−６５１３９号公報
【特許文献２】実開平０３−７４２８４号公報
【特許文献３】実公昭５５−３９７５０号公報
【発明の開示】
【発明が解決しようとする課題】
【０００５】
本発明はこのような問題に対処するためになされたもので、設置が容易であり、またイノシシやシカなど、目的とする有害獣のみを効率よく的確に捕獲できる獣捕獲用脚括り罠の提供を目的とする。
【課題を解決するための手段】
【０００６】
本発明は、（１）獣が脚を踏み込む罠部分と、（２）罠の引き金となり作動部へ伝える作動補助部と、（３）該作動補助部が解除されることで作動し、獣の脚を括る作動部とを備えてなり、地面に設置して使用される獣捕獲用脚括り罠であって、
（１）獣が脚を踏み込む罠部分は、周壁上部に切り口を有する筒状体が地面に埋め込まれ、該筒状体上部に獣の脚を括るワイヤーが配置され、上記切り口より筒状体内部に作動補助部からの松葉ばねが扇状に延び、該松葉ばねの上部には複数本の串が上記筒状体上部にすのこ状に配置されてなり、
（２）罠の引き金となり作動部へ伝える作動補助部は、複数個の小筒が相互に固定されたコハゼと、該コハゼの一部小筒内に上記松葉ばねの一端が略直角に折り曲げられて上部から挿入され、上記コハゼの他の小筒内を両端が鈎状で、かつ罠設置時に上記コハゼを上方に付勢する小スプリングがロックナットＢで係り止めされた離脱機能付き縦棒が貫通し、さらに上記コハゼの他の小筒内にＬ釘の垂直部分が上部から挿入され、上記離脱機能付き縦棒の上部の鈎は上記Ｌ釘の水平部分に掛かり、さらに該Ｌ釘の水平部分は上記作動部のパイプ部に固定される固定ねじＡに掛かり、上記離脱機能付き縦棒の下部の鈎は作動部のパイプ部に挿入される固定ねじＢに掛かり、
該作動補助部は罠の設置時において、上記固定ねじＡと上記固定ねじＢとが上記Ｌ釘および縦棒による上記掛かり構造により、作動部を支持するものであり、
（３）獣の脚を括る作動部は、内部にスプリングを圧縮して格納したキャブパイプおよび本体パイプのパイプ部のふたつの筒が嵌め合わせられてなるパイプ部にワイヤーが貫通してなるものであり、ワイヤー上部は輪を形成して上記罠部分の上部に置かれるものであり、またワイヤー下部末端は木の枝や木の幹などに固定されるものであり、
罠部分に獣の脚が掛かり、獣の脚が上記罠部分の上記串を踏み折り、さらに上記作動補助部から延びて配置された松葉ばねを踏み下げ、この松葉ばねが上記コハゼを下へ押し下げることで上記離脱機能付き縦棒の上部の鈎が外れることで作動補助部が分解し、該作動補助部が分解することで上記作動部のパイプ部の固定支持が解かれ、上記パイプ部中に格納されていたスプリングが解放され上記キャブパイプを上方へ押し出しワイヤーを絞って獣の脚を括る仕組みを持つことを特徴とする。
【０００７】
また、上記作動補助部の離脱機能付き縦棒下部に縒り取りサルカンＡを設けたことを特徴とする。
また、上記罠部分にすのこ状に配置される複数本の串上部に透明プラスチック蓋が被せられていることを特徴とする。
また、上記罠部分に配置される獣の脚を括るワイヤーは、罠が作動し獣の脚を括る際、獣の脚をきつく絞めすぎることを防ぐロックナットＡが該ワイヤーの途中に設けられていることを特徴とする。
【発明の効果】
【０００８】
イノシシは哺乳綱ウシ目もしくは偶蹄目のイノシシ亜科に属する動物で、四肢の先端に蹄を持ち、有蹄獣と呼ばれることもある。シカ亜科に属するニホンジカなども同じく偶蹄目に属する。これら偶蹄目に属する動物は、歩行時に蹄を立てて着地し、特に前肢に重心をかけて、爪先立ちの状態で歩行する。これは、イノシシ、シカなどの徘徊する獣道に残された足跡からも明らかである。一方、哺乳綱ネコ目に属するイヌやネコ、キツネなどの歩行は指で体を支える趾行性であり、足裏にある肉球で着地し、摺り足で歩行する。本発明の構成とすることにより、これらの歩行習性の違いから、イノシシやシカなどの有蹄獣類のみが踏み抜いて作動し、猟犬などのイヌや他の小動物では踏み抜くことがなく作動しない構造の罠である。
【０００９】
すなわち、イノシシやシカなどの有蹄獣は、歩行が爪先立ちで一箇所に圧力のかかる歩行をするため、串を踏み折り、その下にある罠の引き金となる松葉ばねを踏み下げることができる。一方、摺り足で歩くイヌなどは、足裏に圧力がかからないため串を踏み折ることができず、松葉ばねを踏み下げることができない。その結果、有蹄獣では罠が作動するが、イヌなどは、仮に輪の中に脚を置いたとしても罠が作動することはない。
また、本発明の獣捕獲用脚括り罠は、作動補助部から罠部分に扇状に延びる複数本の松葉ばねを作動補助部のコハゼに挿入するだけでよく設置が容易である。さらに作動補助部と作動部とを組み合わせることにより確実に捕獲ができ、また、ワイヤー部の途中に絞めすぎ防止のためのロックナットを設けるので、獣の脚をきつく絞めすぎることなく捕獲できる。
【発明を実施するための最良の形態】
【００１０】
本発明の獣捕獲用脚括り罠の構造および罠の作動する様態を、図１ないし図８に基づき詳細に説明する。
図１は本発明の獣捕獲用脚括り罠全体を示す図である。図１に示すように、本発明の獣捕獲用脚括り罠１は、地面掘った縦穴に設置する。設置する縦穴の深さは、罠部分４と、作動部２および作動補助部３が過不足なく収まる深さの穴が好ましい。なお獣捕獲用脚括り罠の末端は固定することが必要であり、作動部末端部分であるワイヤー２５ｂは地上に出し、図１の拡大図（ａ）に示すように、ワイヤー２５ｂの端末のリング２６を木の枝などに絡めて固定したり、あるいは図１の拡大図（ｂ）に示すようにワイヤー２５ｂを木の枝や木の幹などに括りつけ、末端のリング２６に付するＵボルト２０のボルトを木の根などにとめることで固定する。また、獣の脚を括るワイヤー２５ａが地表と同じ高さで水平になるように設置することが好ましい。
【００１１】
本発明の獣捕獲用脚括り罠１は、作動部２と、作動補助部３と、罠部分４からなることを特徴とする。
作動部２の構造を、図１および図２を用いて説明する。図２は獣捕獲用脚括り罠１の作動部２を説明する図である。
作動部２は、キャブパイプ６および本体パイプ７の２本の円筒を組み合わせ、内部にスプリング８を圧縮して格納してなるものに、ワイヤー２５ａを貫通したものである。
【００１２】
作動部２の本体となるパイプ部分は、内径２２ｍｍ円筒状の本体パイプ７に、キャップ６ａを有する外径２１ｍｍ×長さ１５０ｍｍの円筒状のキャブパイプ６を上から嵌め込んだものであり、内部にスプリング８を圧縮して格納するものである。キャブパイプ６および本体パイプ７の材質は特に限定するものではないが、軽量かつ耐久性のあるものが好ましく、罠作動時にはキャブパイプと本体パイプがスライドして作動するため、相互にすべりのよい材質が特に好ましい。パイプ部分をワイヤー２５ａが貫通してなり、パイプ部分下部はロックナットＣ１８によって係り止めされる。ワイヤーの材質は特に限定するものではないが、柔軟性のあるもので、獣の脚を括った時、緩まない弾力性に優れるものが好ましい。また、直径の小さなワイヤーでは、獣の脚を括る際、きつく絞ることで獣の脚を切り取ってしまうおそれがあり、例えば直径４ｍｍ未満の細いワイヤーは使用に好ましくない。一方、径が大きく堅い材質のワイヤーでは、獣の脚を括った後、ワイヤーの輪が緩み獣の脚が抜けて獲物を逸することがあり使用に好ましくない。好ましいワイヤーの直径は４ｍｍ〜５ｍｍである。
なお、キャブパイプ６と本体パイプ７のパイプ部分の接合方法については、作動補助部３の構造を説明する部分で後述する。
【００１３】
ワイヤー２５ａの上部末端は輪を形成し、罠部分４を取り囲んで、罠部分４の上に載せるようにして地表面に設置する。ここで、ワイヤー２５ａの輪が罠を設置しているあいだに縒れるなどして輪でなくなるのを防ぐために複数本の杭２４の上部鈎状部分をワイヤー２５ａの数箇所に掛け、ワイヤーを輪状にし、杭２４は地中に刺して係り止めする。罠が作動して獣の脚を括る際に、この杭２４は地中から抜けなければならず、地中に刺すのは係り止め程度にとどめる。
【００１４】
パイプ部から下部に延びたワイヤー２５ａの末端は、縒り取りサルカンＢ１９に繋げられる。縒り取りサルカンＢ１９は、両端が鈎状もしくはリング状でワイヤーを繋げるものであり、また中央部は回転可動でワイヤーが縒れて摩耗し切れるのを防止することができる。縒り取りサルカンＢ１９のもう一方の側に、さらにワイヤー２５ｂを繋ぎ、ワイヤー２５ｂの下部末端は獣捕獲用脚括り罠を設置した地中から地上へ出し、例えば図１の（ａ）、同（ｂ）に示すようにリング２６にＵボルト２０をつけてワイヤーを木の根等に巻き付けて括り、Ｕボルト２０でワイヤーが抜けないように固定する。
【００１５】
作動補助部３の構造を図３を用いて説明する。図３は獣捕獲用脚括り罠の作動補助部の分解斜視図および部分拡大図である。
本発明の獣捕獲用脚括り罠は、以下に説明する作動補助部を設けたことが特徴の１つである。
１個の大きさが直径約５ｍｍ×高さ約１５ｍｍの小筒、例えば小円筒を準備し、この小円筒を複数個、筒壁部分を相互に固定して複数の平行貫通孔を有するコハゼ１２を形成する。このコハゼ１２の１つの円筒に離脱機能付き縦棒１５が貫挿される。この離脱機能付き縦棒１５は両端が他の部材と係止できる鈎状である。
図３の拡大図（ａ）に示すように、離脱機能付き縦棒１５には、コハゼ１２の下部に小スプリング１３を通し、さらに下部をロックナットＢ１４で固定する。ロックナットＢで小スプリング１３が止められることにより、罠設置時に上記コハゼが地表面方向に付勢される。
また、離脱機能付き縦棒１５が貫挿されたコハゼ１２を構成する小円筒の隣の小円筒に上方からＬ釘１０を挿入する。該Ｌ釘１０は直径約２．５ｍｍ×長さ約５０ｍｍ程度の釘をＬ字に折り曲げたものである。該Ｌ釘１０の水平に折り曲がった部分に離脱機能付き縦棒１５の上部の鈎状の部分が係止される。
該Ｌ釘１０は該離脱機能付き縦棒１５の鈎を係止した状態で固定ねじＡ９に頭部分を載せるように係止し、固定ねじＡ９は作動部２のキャブパイプ６の孔に差し込まれ固定される。該Ｌ釘の材質は特に限定するものではなく、例えば真鋳製の釘などが挙げられるが、該Ｌ釘１０に該離脱機能付き縦棒１５の上部の鈎を係止し、尚且つ作動部２に固定する固定ねじＡ９に係止するため頭付きの釘である。
【００１６】
コハゼ１２の残りの小円筒に、直径約２．５ｍｍ×長さ約２００ｍｍ程度の棒の一端部をＬ字状に折り曲げた松葉ばね１１を上方から挿入する。松葉ばね１１は複数本用いることが好ましく、コハゼ１２の小円筒に２本ないし複数本を同時に挿入することができる。松葉ばね１１は罠部分４のパイプ２３の切り口部からパイプ２３の内部に向けて扇状に広げて配置する。松葉ばね１１の材質は特に限定するものではないが、軽量かつ丈夫なものであることが好ましい。
従来、罠の引き金になるものは、複数本の糸を張り、パイプに括り付けていたものがあるが、設置が困難であるのが問題であった。本発明の獣捕獲用脚括り罠では松葉ばねをコハゼに挿入するだけでよいので架設が容易である。
【００１７】
また図３の拡大図（ｂ）に示すように、離脱機能付き縦棒１５の下部の鈎は縒り取りサルカンＡ１６に掛かる。縒り取りサルカンＡ１６は中央部分が回転可動なものであり、罠を仕掛けている間に外から作動補助部３へ余計な力がかかることで作動補助部が自然に解除されないために取り付けられるものである。縒り取りサルカンＡ１６の下部は固定ねじＢ１７に係止され、固定ねじＢ１７は作動部２のロックナットＣ１８の孔を通り、本体パイプ７の孔に差し込まれている。
【００１８】
設置時における作動部２のキャブパイプ６と本体パイプ７は、上記固定ねじＡ９から固定ねじＢ１７までの作動補助部３で支持され固定される。作動補助部３が解除され分解することで作動部も分解される。作動補助部３が解除される仕組みについては後述する。
【００１９】
罠部分４の構造について図１および図４、図５を用いて説明する。
図４は獣捕獲用脚括り罠の罠部分の分解斜視図であり、図５は獣捕獲用脚括り罠の罠部分の斜視図である。
直径約１５０ｍｍ×高さ約１００ｍｍの筒状体の周壁に、高さ約８０ｍｍ×幅約２０ｍｍの上方に開放した切り口を加工した筒状体２３を準備する。該筒状体２３の材質は特に限定されないが、軽量かつ耐久性のあるものが好ましく、例えば塩化ビニル等のプラスチックス製などが挙げられる。該筒状体の直径は、間違ってヒトの脚が踏み込むことのないように、直径１５０ｍｍ程度のものが好ましい。作動補助部３を構成するコハゼ１２に差し込まれた松葉ばね１１がこの切り口から該筒状体２３内の空洞へ延びて設置される。該筒状体２３には、上面から約２０ｍｍの高さに、竹串などの串２２を通す孔を複数設け、串２２をすのこ状に複数本水平に通す。また該筒状体２３上部には直径１５０ｍｍのプラスチック蓋２１を被せる。これは設置時に罠部分内に木の葉や石などが入らないよう保護するためである。また、プラスチック蓋２１には十文字に切れ目が入っており、割れやすい構造である。さらにプラスチック蓋２１の上に、作動部２のワイヤー２５ａを輪の状態にして載せ、ワイヤー２５ａの輪の縒れを防止するために複数本の杭２４の上部鈎状部分をワイヤー２５ａの数箇所にかけ、ワイヤーを輪状にして設置し、杭２４は地中に刺して係り止めする。
【００２０】
図６は、本発明の獣捕獲用脚括り罠の罠部分４にイヌ（ａ）およびイノシシ（ｂ）の脚が載せられる場合を説明する図である。
図６の（ｂ）に示すように、本発明の獣捕獲用脚括り罠では、罠部分４にプラスチック蓋や串を使用しており、イノシシやシカなど、歩行が爪先立ちで一箇所に圧力のかかる歩行をする有蹄獣のみが、プラスチック蓋を踏み割り、串を踏み折り、その下にある罠の引き金となる松葉ばねを踏み下げることができる。図６の（ａ）で示すように、摺り足で歩くイヌなどは、足裏全体に圧力がかかり、爪先などの一箇所に圧力がかからないため、プラスチック蓋や串を踏み割ることができず、つまりその下にある松葉ばねを踏み下げることができないので、仮に輪の中に脚を載せたとしても罠が作動することはない。
また、捕獲する獣の種類に応じて竹串などの串の強さ、本数を調整することにより、例えば、太い竹串にして、かつ本数を多くすることにより、大型獣であって、かつ有蹄獣のみを捕獲することができる。
【００２１】
本発明の獣捕獲用脚括り罠の罠部分に獣の脚が踏み込み、罠が作動し、獣の脚を括るまでに至る過程を図７、図８および図２を用いて説明する。
図７は、本発明の獣捕獲用脚括り罠の罠部分にイノシシの脚が踏み込んだ場合を説明する図である。
有蹄獣の脚がワイヤー２５ａの輪の中に踏み込むと、まず一番上に覆われているプラスチック蓋２１を踏み割り、続いて串２２を踏み折り、さらにその下にある松葉ばね１１を踏み下げる。
【００２２】
図８は獣捕獲用脚括り罠の作動補助部の詳細説明図である。図８（ａ）に示すように、踏み下げられた松葉ばね１１は、作動補助部を構成するコハゼ１２を図面下方向へスライドさせる。コハゼ１２は、設置時においては小スプリング１３により図面上方向に付勢されているが、松葉ばね１１が下へ踏み下げられられるとコハゼ１２はロックナットＢ１４の位置で停止する。
コハゼ１２が図面下方向へスライドすることで、図８（ｂ）に示すように、離脱機能付き縦棒１５の図面上部の鈎がＬ釘１０の水平部から外れる。続いて図８（ｃ）に示すように、コハゼ１２の別の小筒に挿入されていたＬ釘１０のコハゼに挿入されている部分が上方へ抜け、固定ねじＡ９を軸にして垂直に回転することで、掛かっていたＬ釘の水平部分が固定ねじＡから外れる。
上記一連の動作から、離脱機能付き縦棒１５の上部の鈎が勢いよく外れることで、作動補助部３は分解する。このことから、固定ねじＡ９による作動部２のキャブパイプ６と固定ねじＢ１７による作動部２の本体パイプ７の支持が解除され、作動部２のパイプ部内部に圧縮されていたスプリング８が解放されてキャブパイプ６を図面上方へ押し上げ、輪状になったワイヤー２５ａをキャブパイプ６のキャップ部６ａが絞り、図２のような様態となり、獣の脚を括る。ここで、罠が作動した際、パイプ部分内部に圧縮格納されていたスプリング８の力で、中筒であるキャブパイプ６が、外筒である本体パイプ７との約１５０ｍｍの重なり部分に沿い上方に向けて正確にスライドし押し出され、ワイヤー２５ａを絞めるので、獣の脚を括る確立は高くなり、捕獲率がよくなる。
【００２３】
こうしてイノシシやシカなどの有蹄獣は、本発明の獣捕獲用脚括り罠に掛かり、獣捕獲用脚括り罠１は木の枝や木の根などに固定されているため逃げられない。しかし従来、有蹄獣が罠に掛かった場合、脚が強く括られ絞められると痛みのために暴れ、脚括り罠ごと引きずり出したり、壊したりなどして逃げてしまう場合があった。このような問題を回避するために、ワイヤーは絞めつけすぎないほうがよく、本発明の獣捕獲用脚括り罠は、図４または図５に示すように、作動部２のワイヤー２５ａの輪を形成している部分の途中にロックナットＡ５が装着されている。これは罠が作動し、キャブパイプ６のキャップ部６ａがワイヤー２５ａの輪を絞める際、ロックナットＡ５の部分で停止し、それ以上絞めることがない。
【産業上の利用可能性】
【００２４】
本発明の獣捕獲用脚括り罠は、獣の歩行習性に着目し、イノシシやシカなどの有蹄獣のみを捕獲できるもので、猟犬などは掛かることがなく、猟犬を用いる銃猟区や民家付近においても場所を問わず設置でき、確実に目的とする獣の脚を括って捕らえることが可能である。また、罠の引き金となる部分にコハゼや松葉ばねを用いるため架設が容易であり、このことからも場所を問わず設置できる獣捕獲用脚括り罠である。
さらに、架設するワナが直径約１５０ｍｍ、深さ約１００ｍｍの塩ビパイプなどの円筒であるので、もし猟師などが間違って踏みつけた場合でも、直径約１５０ｍｍであるので脚が踏み抜かず、安全な獣捕獲用脚括り罠である。
【図面の簡単な説明】
【００２５】
【図１】本発明の獣捕獲用脚括り罠全体を示す図である。
【図２】獣捕獲用脚括り罠の作動部を説明する図である。
【図３】獣捕獲用脚括り罠の作動補助部の分解斜視図である。
【図４】獣捕獲用脚括り罠の罠部分の分解斜視図である。
【図５】獣捕獲用脚括り罠の罠部分の斜視図である
【図６】本発明の獣捕獲用脚括り罠の罠部分にイヌ（ａ）およびイノシシ（ｂ）の脚が載せられる場合を説明する図である。
【図７】本発明の獣捕獲用脚括り罠の罠部分にイノシシの脚が踏み込んだ場合を説明する図である。
【図８】獣捕獲用脚括り罠の作動補助部の詳細説明図である。
【符号の説明】
【００２６】
１  脚括り罠
２  作動部
３  作動補助部
４  罠部分
５  ロックナットＡ
６  キャブパイプ
７  本体パイプ
８  スプリング
９  固定ねじＡ
１０  Ｌ釘
１１  松葉ばね
１２  コハゼ
１３  小スプリング
１４  ロックナットＢ
１５  離脱機能付き縦棒
１６  縒り取りサルカンＡ
１７  固定ねじＢ
１８  ロックナットＣ
１９  縒り取りサルカンＢ
２０  Ｕボルト
２１  プラスチック蓋
２２  串
２３  筒状体
２４  杭
２５  ワイヤー
２６  リング
【図１】
2007028964.tif 000003
【図２】
2007028964.tif 000004
【図３】
2007028964.tif 000005
【図４】
2007028964.tif 000006
【図５】
2007028964.tif 000007
【図６】
2007028964.tif 000008
【図７】
2007028964.tif 000009
【図８】
2007028964.tif 000010